(57)【要約】【課題】不使用時に立体的にディスプレイすることができるハンドタオルを提供する。【解決手段】正方形状のタオル本体１を幅方向に４等分するとともに高さ方向に３等分した12仮想区画19のうちの幅方向に端から２番目かつ高さ方向に端から１番目の一区画20内に、正方形状のタオル本体１の中央線Ｅと重ならないように、犬の顔３を刺繍４にて描く。犬の耳５がタオル本体１とは別体の布片７から成る。布片７の耳５の付根部８を突出させてタオル本体１に縫製Ｓ1 するとともに布片７を内側へ折返して耳５の付根部８が袋状となるように縫製Ｓ2 する。【選択図】図３
0003128940.tif 000002
【実用新案登録請求の範囲】
【請求項１】
正方形状のタオル本体（１）を幅方向に４等分するとともに高さ方向に３等分した12仮想区画（19）のうちの幅方向に端から２番目かつ高さ方向に端から１番目の一区画（20）内に、正方形状の上記タオル本体（１）の中央線（Ｅ）と重ならないように、犬の顔（３）を刺繍（４）にて描いたことを特徴とするハンドタオル。
【請求項２】
正方形状のタオル本体（１）を幅方向に４等分するとともに高さ方向に３等分した12仮想区画（19）のうちの幅方向に端から２番目かつ高さ方向に端から１番目の一区画（20）内に、正方形状の上記タオル本体（１）の中央線（Ｅ）と重ならないように、犬の顔（３）を刺繍（４）にて描き、該犬の耳（５）又は頭部（９）の毛（10）を上記タオル本体（１）から突出及び／又は起立して設けたことを特徴とするハンドタオル。
【請求項３】
正方形状のタオル本体（１）を幅方向に４等分するとともに高さ方向に３等分した12仮想区画（19）のうちの幅方向に端から２番目かつ高さ方向に端から１番目の一区画（20）内に、正方形状の上記タオル本体（１）の中央線（Ｅ）と重ならないように、犬の顔（３）を刺繍（４）にて描き、該犬の耳（５）が上記タオル本体（１）とは別体の布片（７）から成り、該布片（７）の上記耳（５）の付根部（８）を突出させて上記タオル本体（１）に縫製（Ｓ1 ）するとともに該布片（７）を内側へ折返して上記耳（５）の付根部（８）が袋状となるように縫製（Ｓ2 ）したことを特徴とするハンドタオル。
【考案の詳細な説明】
【技術分野】
【０００１】
本考案は、ハンドタオルに関する。
【背景技術】
【０００２】
従来、タオルを不使用時にはディスプレイするものとして、例えば、異なる大きさの複数枚の布地を重ねたものがある（例えば、特許文献１参照）。
【０００３】
しかし、ディスプレイ状態が平面的で面白みに欠けていた。
【特許文献１】実開昭６３−１７８５９１号公報
【考案の開示】
【考案が解決しようとする課題】
【０００４】
解決しようとする課題は、ディスプレイ状態が平面的で面白みに欠けている点である。
【課題を解決するための手段】
【０００５】
そこで、本考案に係るハンドタオルは、正方形状のタオル本体を幅方向に４等分するとともに高さ方向に３等分した12仮想区画のうちの幅方向に端から２番目かつ高さ方向に端から１番目の一区画内に、正方形状の上記タオル本体の中央線と重ならないように、犬の顔を刺繍にて描いたものである。
【０００６】
また、正方形状のタオル本体を幅方向に４等分するとともに高さ方向に３等分した12仮想区画のうちの幅方向に端から２番目かつ高さ方向に端から１番目の一区画内に、正方形状の上記タオル本体の中央線と重ならないように、犬の顔を刺繍にて描き、該犬の耳又は頭部の毛を上記タオル本体から突出及び／又は起立して設けたものである。
【０００７】
また、正方形状のタオル本体を幅方向に４等分するとともに高さ方向に３等分した12仮想区画のうちの幅方向に端から２番目かつ高さ方向に端から１番目の一区画内に、正方形状の上記タオル本体の中央線と重ならないように、犬の顔を刺繍にて描き、該犬の耳が上記タオル本体とは別体の布片から成り、該布片の上記耳の付根部を突出させて上記タオル本体に縫製するとともに該布片を内側へ折返して上記耳の付根部が袋状となるように縫製したものである。
【考案の効果】
【０００８】
本考案のハンドタオルによれば、不使用時に（折畳むと共に巻込めば）立体的にディスプレイすることができる。また、容易に折畳むことができる。
【考案を実施するための最良の形態】
【０００９】
図１・図２は、本考案の第１の実施の形態を不使用時にディスプレイしている状態（巻設保存状態）を示す。このハンドタオルは、後述のように折畳んで帯体や紐等の保持部材Ｂにより立設可能に保持される。保持部材Ｂは首輪に見えるもの（特にベルト状のもの）が好ましい。
【００１０】
図３に示すように、正方形状のタオル本体１を幅方向に４等分するとともに高さ方向に３等分した12仮想区画19（図３の２点鎖線Ｑは、12仮想区画19の境界線を示す。）のうちの幅方向に端から２番目かつ高さ方向に端から１番目の一区画20内に、正方形状のタオル本体１の中央線Ｅと重ならないように、犬の顔３が刺繍４にて描かれている。本考案に於て、「中央線」とは、幅方向に２等分する仮想線をいうと定義する。また、「刺繍にて」とは、「刺繍糸その他の糸のひとつ又は複数を（タオル本体１に）縫うことにより」の意味であると定義する。言い換えると、「刺繍」には、刺繍糸以外の糸も含まれるものとする。犬の耳５がタオル本体１から外側（図３では上方向）へ突出、及び、タオル本体１の表面６から離間する方向（図３では手前方向）へ起立して設けられている。
【００１１】
図１〜図４に示すように、犬の耳５がタオル本体１とは別体の布片７から成る。布片７の耳５の付根部８が突出してタオル本体１に縫製Ｓ1 されている。そして、布片７は内側へ折返して耳５の付根部８が袋状となるように縫製Ｓ2 されている。
【００１２】
次に、図３及び図５〜図10に於て、第１の実施の形態のハンドタオルの折畳み方法の一例について説明する。
まず、図３の矢印Ｘ方向に示すように、１点鎖線Ｎ1 の位置で、紙面の向こう側に下半分を折る。図５・図６に示す二つ折り状態となる。
【００１３】
次に、図５・図６の矢印Ｙに示すように、1 点鎖線Ｎ2 の位置で、さらに半分に折る。図７・図８に示す四つ折り状態となる。
その後、図７・図８の矢印Ｚに示すように、１点鎖線Ｎ3 の位置で、半分に折る。図９・図10に示す八つ折り状態となる。
最後に、冒頭で述べた保持部材Ｂ（図１・図２参照）によって、図９に示す高さ方向中間位置Ｈを締め付けて、図１・図２に示す巻設保存状態にする。なお、折畳み方法の他の例として、図５の状態から、左右方向の略中心位置に犬の顔３が来るように、図５の左側から４分の１乃至３分の１の位置を紙面の向こう側に折り、その後、左右両端縁部を紙面の向こう側へ巻込状として、折畳むのも好ましい（図示省略）。
【００１４】
図11は、第２の実施の形態を示す。犬の頭部９の毛10がタオル本体１から突出して設けられている。犬の頭部９の毛10は、例えば、糸から成る。なお、犬の耳５は突出も起立もしていない（犬の耳５は描かれていない）。図11の１点鎖線Ｎは、折畳み位置を示す。すなわち、犬の顔３が表面に見えるように、縦方向に３分割、横方向に４分割するように折る。その他の構成は、第１の実施の形態と同様である。
【００１５】
図12は、第３の実施の形態を示す。犬の耳５及び頭部９の毛10のいずれもタオル本体１から突出しておらず、かつ、起立していない。すなわち、犬の耳５及び頭部９の毛10は刺繍４にて描かれている。その他の構成は、第１・第２の実施の形態と同様である。
【００１６】
図13は、第４の実施の形態を示す。正方形状のタオル本体１を幅方向に４等分するとともに高さ方向に３等分した12仮想区画19のうちの幅方向に端から２番目かつ高さ方向に端から１番目の一区画20内に、中央線Ｅと重ならないように、犬の顔３を刺繍４にて描き、犬の耳５がタオル本体１から突出して設けられており、かつ、犬の耳５はタオル本体１から（タオル本体１の表面６から離間する方向へ）起立していない。その他の構成は、第１・第２の実施の形態と同様である。
【００１７】
なお、本考案は、設計変更可能であって、例えば、折畳み方法は、上述の方法に限られず、例えば、折畳み順序を入れ換えるも良い。また、犬の耳５を、タオル本体１から突出せず起立のみするものとしても良い。また、犬の頭部９の毛10を、タオル本体１から突出のみして起立しないものとするも良い。
【００１８】
以上のように、本考案は、正方形状のタオル本体１を幅方向に４等分するとともに高さ方向に３等分した12仮想区画19のうちの幅方向に端から２番目かつ高さ方向に端から１番目の一区画20内に、正方形状のタオル本体１の中央線Ｅと重ならないように、犬の顔３を刺繍４にて描いたので、不使用時に巻設保存状態としてディスプレイすることができる。また、正方形状のタオル本体１の中央線Ｅにて折っても犬の顔３が折れないので、犬の顔３が邪魔にならず、容易に折畳むことができる。犬の顔３は刺繍４にて描かれているので、ハンドタオルを使用する際に凹凸が少なく、邪魔になることを防止して、容易に使用することができる。
【００１９】
また、正方形状のタオル本体１を幅方向に４等分するとともに高さ方向に３等分した12仮想区画19のうちの幅方向に端から２番目かつ高さ方向に端から１番目の一区画20内に、正方形状のタオル本体１の中央線Ｅと重ならないように、犬の顔３を刺繍４にて描き、犬の耳５又は頭部９の毛10をタオル本体１から突出及び／又は起立して設けたので、不使用時に巻設保存状態としてディスプレイすることができる。また、正方形状のタオル本体１の中央線Ｅにて折っても犬の顔３が折れないので、犬の顔３が邪魔にならず、容易に折畳むことができる。犬の顔３は刺繍４にて描かれているので、ハンドタオルを使用する際に凹凸が少なく、邪魔になることを防止して、容易に使用することができる。さらに、犬の耳５又は頭部９の毛10の立体感を強調するとともに、犬の顔３に立体感をもたせることができる。
【００２０】
また、正方形状のタオル本体１を幅方向に４等分するとともに高さ方向に３等分した12仮想区画19のうちの幅方向に端から２番目かつ高さ方向に端から１番目の一区画20内に、正方形状のタオル本体１の中央線Ｅと重ならないように、犬の顔３を刺繍４にて描き、犬の耳５がタオル本体１とは別体の布片７から成り、布片７の耳５の付根部８を突出させてタオル本体１に縫製Ｓ1 するとともに布片７を内側へ折返して耳５の付根部８が袋状となるように縫製Ｓ2 したので、不使用時に巻設保存状態としてディスプレイすることができる。また、正方形状のタオル本体１の中央線Ｅにて折っても犬の顔３が折れないので、犬の顔３が邪魔にならず、容易に折畳むことができる。犬の顔３は刺繍４にて描かれているので、ハンドタオルを使用する際に凹凸が少なく、邪魔になることを防止して、容易に使用することができる。また、犬の耳５の立体感を強調するとともに、犬の顔３に立体感をもたせることができる。さらに、耳５の付根部８の端縁を目隠しすることができて美しく見える。
【図面の簡単な説明】
【００２１】
【図１】本考案の第１の実施の形態の巻設保持状態を示す正面図である。
【図２】平面図である。
【図３】正面図である。
【図４】図３のＡ−Ａ断面拡大図である。
【図５】折畳み方法を示す正面図である。
【図６】平面図である。
【図７】正面図である。
【図８】平面図である。
【図９】正面図である。
【図１０】平面図である。
【図１１】第２の実施の形態を示す正面図である。
【図１２】第３の実施の形態を示す正面図である。
【図１３】第４の実施の形態を示す正面図である。
【符号の説明】
【００２２】
１  タオル本体
２  一辺
３  犬の顔
４  刺繍
５  （犬の）耳
７  布片
８  付根部
９  （犬の）頭部
10  毛
19  仮想区画
20  一区画
Ｅ  中央線
Ｓ1 縫製
Ｓ2 縫製
【図１】
0003128940.tif 000003
【図２】
0003128940.tif 000004
【図３】
0003128940.tif 000005
【図４】
0003128940.tif 000006
【図５】
0003128940.tif 000007
【図６】
0003128940.tif 000008
【図７】
0003128940.tif 000009
【図８】
0003128940.tif 000010
【図９】
0003128940.tif 000011
【図１０】
0003128940.tif 000012
【図１１】
0003128940.tif 000013
【図１２】
0003128940.tif 000014
【図１３】
0003128940.tif 000015